(57)【要約】【課題】読書や筆記用にある程度の拡大率を有し、ユーザが楽にある程度の時間を継続して使用する。【解決手段】被写体光の光路を変えて被写体光の画像を拡大する平面ミラー４３およびクローズアップレンズ４４、これらの平面ミラー４３およびクローズアップレンズ４４を保持すると共に覆うカバー体４２および、電子めがね本体２にカバー体４２を固定可能とする固定部材を有する拡大アダプター４と、この拡大アダプター４からの被写体光を撮影可能とするビデオカメラ装置と、このビデオカメラ装置が内部に収容され、このビデオカメラ装置からの画像信号に基づいて被写体の画像が表示されて、マックスウェル視を用いた指向性の高い画像光が表示装置の表示画面から出射可能とされる電子めがね本体２と、この電子めがね本体２を支持して固定可能とするスタンド５とを備えている。【選択図】  図１
2007156258.tif 000002
【特許請求の範囲】
【請求項１】
被写体光の光路を変え、かつ被写体光の画像を拡大する平面ミラーおよびクローズアップレンズと、該平面ミラーおよびクローズアップレンズを保持すると共に覆うカバー体と、電子めがね本体に該カバー体を固定可能とする固定部材とを備えた電子めがね用拡大アダプター。
【請求項２】
前記固定部材は、前記電子めがね本体の外形に外嵌可能な枠体と、該枠体の一辺中央部のねじ穴に螺合して貫通したねじと、該ねじの先端部が抜け止めされた状態で遊嵌されて該外形の表面を押圧可能とする押圧部材とが設けられた請求項１に記載の電子めがね用拡大アダプター。
【請求項３】
前記枠体に対して前記カバー体を回動可能に連結する連結部材を更に有している請求項２に記載の電子めがね用拡大アダプター。
【請求項４】
マックスウェル視により眼の瞳孔を通して網膜に映像を投影するための表示装置を用いた電子めがね装置であって、
請求項１〜３のいずれかに記載の電子めがね用拡大アダプターと、該電子めがね用拡大アダプターからの被写体光を撮影可能とする画像入力装置と、該画像入力装置が内部に収容され、該画像入力装置からの画像信号に基づいて被写体の画像が表示されて、前記マックスウェル視を用いた指向性の高い画像光が表示装置の表示画面から出射可能とされる電子めがね本体と、該電子めがね本体を支持して固定可能とするスタンド部材とを備えた電子めがね装置。
【請求項５】
前記スタンド部材は、ベース板と、該ベース板上に立設された支柱部材と、該支柱部材に取り付けられて前記電子めがね本体を支持可能とする本体支持部材とを有している請求項４に記載の電子めがね装置。
【請求項６】
前記スタンド部材は、ベース板と、該ベース板上に立設され、前記電子めがね本体を支持可能とする支柱部材とを有している請求項４に記載の電子めがね装置。
【請求項７】
前記スタンド部材は、前記ベース板の底面に対して、前記電子めがね本体の視軸が平行かまたは、該視軸の手前側が離れるように該視軸が傾いている請求項５または６に記載の電子めがね装置。
【請求項８】
前記電子めがね本体は、前記スタンド部に着脱自在に取り付けられ、前記電子めがね本体の筺体には、該電子めがね本体を手で持つための把持部が設けられている請求項４〜６のいずれかに記載の電子めがね装置。
【請求項９】
前記電子めがね本体には、画像信号を外部入力して前記表示画面に画像表示可能とする入力インターフェイスと、前記画像入力装置で撮影された画像信号を外部出力可能とする出力インターフェイスとのうち少なくともいずれかを有する請求項４に記載の電子めがね装置。
【請求項１０】
前記表示装置は、前記画像入力装置または外部からの画像信号を信号処理可能とする信号処理部と、該信号処理部で所定の信号処理が為された画像信号に基づいて表示画像を形成する表示画像形成部と、該表示画像形成部からの表示画像光を用いて、マックスウェル視を用いた指向性の高い画像光を前記表示画面から出射する画像光出射部とを有する請求項４に記載の電子めがね装置。
【請求項１１】
前記電子めがね用拡大アダプターを正規の位置に配置したか否かを検出するアダプター位置検出手段を有し、
前記信号処理部は、該アダプター位置検出手段が該電子めがね用拡大アダプターの正規の位置を検出した場合に、前記表示画面に表示される被写体画像を、実際の被写体のように画像の上下および左右が反転した画像に生成する画像反転処理部を有している請求項１０に記載の電子めがね装置。
【請求項１２】
前記アダプター位置検出手段は、自動復帰式スイッチで構成されており、前記電子めがね用拡大アダプターを正規の位置に下げた場合に、該電子めがね用拡大アダプターによって該自動復帰式スイッチの突起状ボタンが押圧されることにより該電子めがね用拡大アダプターが該正規の位置にあることを検出する請求項１１に記載の電子めがね装置。
【請求項１３】
前記電子めがね本体は、片眼用または両眼用として構成されている請求項４、８または９のいずれかに記載の電子めがね装置。
【発明の詳細な説明】
【技術分野】
【０００１】
本発明は、文字や画像を見るときなどに用いる電子めがね用拡大アダプターおよび、これを用い、マックスウェル視により瞳孔を通して直に網膜に画像光を投影するための表示装置が搭載された電子めがね装置に関する。
【背景技術】
【０００２】
マックスウェル視は、ピンホールカメラの原理であり、指向性の高い画像光を眼の瞳孔内で収束させて、水晶体による焦点調整機能を使わずピント合わせすることなく、網膜に直に画像光を投影するものであって、焦点深度が深いため、水晶体や角膜の機能が低下して、めがねをかけてもはっきり見え難いような低視力者であっても、網膜に焦点が合って、画像がぼやけずに鮮明に見える。このようなマックスウェル視を用いて眼疾患者に鮮明な映像を与えることができる「映像付与装置」が特許文献１に開示されている。
【特許文献１】特開２００２−２８２２９９号公報
【発明の開示】
【発明が解決しようとする課題】
【０００３】
しかしながら、従来の上記特許文献１の映像付与装置において、マックスウェル視であるが故の欠点もある。それは、マックスウェル視の収束点を瞳孔内に位置させなければならず、このマックスウェル視の収束点と瞳孔の位置とが一致しないと画像が見えないことである。瞳孔は直径が数ｍｍ程度であり、この範囲内にマックスウェル視の収束点を収めなければならない。
【０００４】
これを解決するために、手軽に携帯でき、片手で持って眼の瞳孔の範囲内にマックスウェル視の収束点を容易かつ安定的に合わせることができるスコープ型多用途電子めがねを本発明者らが特願２００４−２５３５１５号により提案している。
【０００５】
このスコープ型多用途電子めがねは、ビデオカメラ装置を搭載し、このビデオカメラ装置とマックスウェル視を利用したディスプレイとを一体化したものであり、これは携帯性に優れ、多くの状況で視覚障害者の視覚支援の機能を有している。
【０００６】
ところが、このスコープ型多用途電子めがねは、視覚障害者に必要性の大きい読書や、新聞を読んだり、写真を見たり、筆記したりするなどの各種用途に対しては十分な機能を有するものとは言えなかった。即ち、読書や筆記などは近距離の被写体で、かつ大きい拡大率を必要とする。さらに、このような読書や筆記では、ユーザが楽にある程度の時間を継続して使用できなければならず、ユーザがディスプレイ（表示画面）を見る姿勢も限られてくる。
【０００７】
本発明は、上記従来の問題を解決するもので、読書や筆記用にある程度の拡大率を有し、ユーザが楽にある程度の時間を継続して使用できるための電子めがね用拡大アダプターおよびこれを用いた電子めがね装置を提供することを目的とする。
【課題を解決するための手段】
【０００８】
本発明の電子めがね用拡大アダプターは、被写体光の光路を変え、かつ被写体光の画像を拡大する平面ミラーおよびクローズアップレンズと、該平面ミラーおよびクローズアップレンズを保持すると共に覆うカバー体と、電子めがね本体に該カバー体を固定可能とする固定部材とを備えており、そのことにより上記目的が達成される。
【０００９】
また、好ましくは、本発明の電子めがね用拡大アダプターにおける固定部材は、前記電子めがね本体の外形に外嵌可能な枠体と、該枠体の一辺中央部のねじ穴に螺合して貫通したねじと、該ねじの先端部が抜け止めされた状態で遊嵌されて該外形の表面を押圧可能とする押圧部材とが設けられている。
【００１０】
さらに、好ましくは、本発明の電子めがね用拡大アダプターにおいて、前記枠体に対して前記カバー体を回動可能に連結する連結部材を更に有している。
【００１１】
本発明の電子めがね装置は、マックスウェル視により眼の瞳孔を通して網膜に映像を投影するための表示装置を用いた電子めがね装置であって、本発明の上記電子めがね用拡大アダプターと、該電子めがね用拡大アダプターからの被写体光を撮影可能とする画像入力装置と、該画像入力装置が内部に収容され、該画像入力装置からの画像信号に基づいて被写体の画像が表示されて、前記マックスウェル視を用いた指向性の高い画像光が表示装置の表示画面から出射可能とされる電子めがね本体と、該電子めがね本体を支持して固定可能とするスタンド部材とを備えており、そのことにより上記目的が達成される。
【００１２】
また、好ましくは、本発明の電子めがね装置におけるスタンド部材は、ベース板と、該ベース板上に立設された支柱部材と、該支柱部材に取り付けられて前記電子めがね本体を支持可能とする本体支持部材とを有している。
【００１３】
さらに、好ましくは、本発明の電子めがね装置におけるスタンド部材は、ベース板と、該ベース板上に立設され、前記電子めがね本体を支持可能とする支柱部材とを有している。
【００１４】
さらに、好ましくは、本発明の電子めがね装置におけるスタンド部材は、前記ベース板の底面に対して、前記電子めがね本体の視軸が平行かまたは、該視軸の手前側が離れるように該視軸が傾いている。
【００１５】
さらに、好ましくは、本発明の電子めがね装置における電子めがね本体は、前記スタンド部に着脱自在に取り付けられ、前記電子めがね本体の筺体には、該電子めがね本体を手で持つための把持部が設けられている。
【００１６】
さらに、好ましくは、本発明の電子めがね装置における電子めがね本体には、画像信号を外部入力して前記表示画面に画像表示可能とする入力インターフェイスと、前記画像入力装置で撮影された画像信号を外部出力可能とする出力インターフェイスとのうち少なくともいずれかを有する。
【００１７】
さらに、好ましくは、本発明の電子めがね装置における表示装置は、前記画像入力装置または外部からの画像信号を信号処理可能とする信号処理部と、該信号処理部で所定の信号処理が為された画像信号に基づいて表示画像を形成する表示画像形成部と、該表示画像形成部からの表示画像光を用いて、マックスウェル視を用いた指向性の高い画像光を前記表示画面から出射する画像光出射部とを有する。
【００１８】
さらに、好ましくは、本発明の電子めがね装置において、前記電子めがね用拡大アダプターを正規の位置に配置したか否かを検出するアダプター位置検出手段を有し、前記信号処理部は、該アダプター位置検出手段が該電子めがね用拡大アダプターの正規の位置を検出した場合に、前記表示画面に表示される被写体画像を、実際の被写体のように画像の上下および左右が反転した画像に生成する画像反転処理部を有している。
【００１９】
さらに、好ましくは、本発明の電子めがね装置におけるアダプター位置検出手段は、自動復帰式スイッチで構成されており、前記電子めがね用拡大アダプターを正規の位置に下げた場合に、該電子めがね用拡大アダプターによって該自動復帰式スイッチの突起状ボタンが押圧されることにより該電子めがね用拡大アダプターが該正規の位置にあることを検出する。
【００２０】
さらに、好ましくは、本発明の電子めがね装置における電子めがね本体は、片眼用または両眼用として構成されている。
【００２１】
上記構成により、以下、本発明の作用を説明する。
【００２２】
本発明の電子めがね装置にあっては、被写体光の光路を変えて被写体光の画像を拡大する平面ミラーおよびクローズアップレンズ、平面ミラーおよびクローズアップレンズを保持すると共に覆うカバー体および、電子めがね本体に該カバー体を固定可能とする固定部材を有する電子めがね用拡大アダプターと、この電子めがね用拡大アダプターからの被写体光を撮影可能とする画像入力装置と、この画像入力装置が内部に収容され、この画像入力装置からの画像信号に基づいて被写体の画像が表示されて、前記マックスウェル視を用いた指向性の高い画像光が表示装置の表示画面から出射可能とされる電子めがね本体と、この電子めがね本体を支持して固定可能とするスタンド部材とを備えている。
【００２３】
これによって、例えば机の上の資料などの被写体光の光路をユーザが見る視軸の方向に変えると共に被写体光の画像を拡大する電子めがね用拡大アダプターが設けられ、この電子めがね用拡大アダプターからの被写体光を撮影する画像入力装置が収容された電子めがね本体がスタンド部材によって支持されているので、読書や筆記用にある程度の拡大率を得ることが可能で、ユーザが楽にある程度の時間を使用することが可能となる。
【発明の効果】
【００２４】
以上により、本発明によれば、机の上の資料などの被写体光の光路をユーザが見る視軸の方向に変えると共に被写体光の画像を拡大する電子めがね用拡大アダプターと、電子めがね本体を支持するスタンド部材とが設けられているため、電子眼鏡本体を手で支えることなく、ある程度の時間継続して、見やすい楽な姿勢で読書や筆記などを行うことができる。
【００２５】
また、手元の資料と遠距離位置にある資料とを大きな拡大率で、しかも簡単な操作で観察でき、低視力者向け映像信号による画像を見たり、手元と遠距離位置などの周囲の環境を容易に見渡すことができる電子めがね装置を得ることができる。
【発明を実施するための最良の形態】
【００２６】
以下に、本発明の電子めがね用拡大アダプターを用いた電子めがね装置の実施形態１，２について、図面を参照しながら説明する。
（実施形態１）
図１は、本発明の実施形態１に係る電子めがね装置の構成例を示す斜視図である。
【００２７】
図１において、本実施形態１の電子めがね装置１は、画像入力装置としてのビデオカメラ装置が筺体２１の前方部内に収容され、マックスウェル視を用いた指向性の高い画像光が出射部（表示装置の表示画面；接眼レンズ）から出射可能とされて、筺体２１が略Ｌ字状（ピストル状）に折れ曲がって把持部２２を持つ電子めがね本体２と、電子めがね本体２の筺体２１の後方端面部に設けられ、画像光の出射部の周囲を覆って目の位置を固定可能とする接眼部３と、ビデオカメラ装置３の前方に設けられ、筺体２１の前方部に着脱可能に設けられた電子めがね用拡大アダプター（以下、単に拡大アダプターという）４と、この電子めがね本体２の筺体２１の両側面を挟み込んで保持するスタンド部材としてのスタンド５とを備えている。
【００２８】
電子めがね本体２は、図示しないビデオカメラ装置および、このビデオカメラ装置からの画像データを表示する表示画面を持つ表示装置が筺体２１に内蔵されている。この筺体２１には、図示しないビデオカメラ装置および表示装置の動作を開始するための表示スタートボタン２１ａと、表示スタートボタン２１ａがオンされて表示動作が開始された場合に点灯する電源ランプ２１ｂとが設けられている。
【００２９】
この図示しない表示装置は、ビデオカメラ装置で撮影された被写体の画像データが入力されて所定の信号処理が為される信号処理部と、この信号処理部で所定の信号処理が為された画像データに基づいて光源により表示される液晶表示装置（例えば液晶投影装置）などの表示画像形成部と、この表示画像形成部からの画像光に基づいて、マックスウェル視による画面光を出射する画面光出射部（図示せず；表示装置の表示画面）と、各部に電力供給可能とする電源（電池）とを有している。
【００３０】
一方、拡大アダプター４を用いると、ディスプレイ（表示画面）に表示される被写体画像は、実際の被写体に対して上下および左右が反転した画像となるので、これを電子回路（表示装置の信号処理部）にて反転補正する必要がある。これの切り替えは、拡大アダプター４の上下の回動に連動してスイッチにて切り替えることができるようにしておけばよい。例えば、自動復帰式スイッチの突起状ボタンを筺体２１の前方端面（拡大アダプター４側の端面部）に設けておき、拡大アダプター４を正規の位置に下げたとき（拡大アダプター４の使用時）に、拡大アダプター４によって自動復帰式スイッチ（図示せず）の突起状ボタンを押すこと（押圧すること）により反転画像に切り替えをするように構成することができる。
【００３１】
即ち、拡大アダプター４を正規の位置かどうかを検出するアダプター位置検出手段としての自動復帰式スイッチ（図示せず）が電子めがね本体２の筺体２１の前方端面側に設けられており、図示しない表示装置の信号処理部は、自動復帰式スイッチが拡大アダプター４の正規の位置を検出した場合（自動復帰式スイッチの突起状ボタンを拡大アダプター４が押圧して押し込んだした場合）に、表示装置の表示画面に表示される被写体画像を、実際の被写体のように画像の上下および左右が反転した反転画像に生成する画像反転処理部を有している。
【００３２】
このマックスウェル視による画面光出射部は、上記表示画像形成部の表示画面から出射された画像光を、集光用のレンズでピンホール板のピンホールに集光させ、ピンホールから出射された指向性の高い画像光をレンズで平行光線に戻した後に、接眼レンズで平行光線を絞ってユーザの瞳孔内に収束させる構成となっている。
【００３３】
接眼部３は、シリコンゴムなどの樹脂材料や金属材料などで構成されており、箱体前面の画像光出射部の周囲を囲むように取付けられ、マックスウェル視を用いた指向性の高い画像光が出射される接眼レンズ（表示画面）の光軸が瞳孔の中心位置に位置するように、接眼レンズの画像光出射面（画像光出射部；表示画面）の周囲を覆う外形形状となっている。これによって、接眼部３の外周端縁を眼の周囲に当てることにより接眼レンズ（表示画面）と瞳孔の位置関係、即ち、接眼レンズの画像光出射面に対する眼の上下左右方向と奥行き方向の位置決めを容易に行うことが可能となる。この表示画面の中心光軸（電子めがね本体２の視軸）とビデオカメラ装置の撮影レンズの中心光軸Ｃ１とが一致するように直列に前後に配置されている。
【００３４】
拡大アダプター４は、図２に示すように、外形断面が四角形（円または楕円でもよい）の筺体２１に外嵌可能でかつ筺体２１に固定可能な固定部材としての外形が四角形の枠体固定部４１と、直交する二方向が開放されたカバー体４２と、カバー体４２の内部に固定された凸レンズであるクローズアップレンズ４３と、カバー体４２の内部に固定され、カバー体４２の一方の開放側（資料Ｘの面に垂直な垂線Ｃ）からの光を他方の開放側（視軸Ｃ１のクローズアップレンズ４３側の方向）のクローズアップレンズ４３を通してビデオカメラ装置側に反射させる平面ミラー４４と、カバー体４２と枠体固定部４１との間を連結して設けられ、カバー体４２を枠体固定部４１に対して上下方向に回動可能とさせる連結部材としての蝶番４５とを有している。
【００３５】
枠体固定部４１は、四角形の枠体４１ａで構成され、枠体４１ａの一辺中央部にねじ穴が設けられ、このねじ穴にねじ４１ｂが螺合してそのねじ４１ｂの先端部が抜け止めされた状態で遊嵌されて、筺体２１の外表面を押圧して固定可能とする押圧部材としての棒体４１ｃ（棒部材）が設けられている。この棒体４１ｃの長手方向は枠体４１ａの一辺の方向に平行に設けられている。
【００３６】
スタンド５は、ベース板５１と、このベース板５１上に立設され、電子めがね本体２を支持可能とする支柱部材としての支柱棒５２とを有している。即ち、電子めがね本体２の把持部２２の下方の端面にねじ穴（または穴）を設け、支柱棒５２の先端部分にねじ山（または嵌合用突起部）を設けて、支柱棒５２に電子めがね本体２を連結して固定する構成とすることができる。
【００３７】
上記構成により、接眼部３に眼の周囲を押し当てて、眼の瞳孔に対して、マックスウェル視による画面光出射部の表示画面（接眼レンズ）の位置を合わせるだけで、マックスウェル視を用いて画像光出射面から出射される画像光の収束点と瞳孔とを当初から容易かつ安定的に合わせることができる。
【００３８】
つまり、拡大アダプター４およびスタンド５と、画像入力装置としてのビデオカメラ装置が内蔵された電子めがね本体２とが一体となっているため、手を使うことなく、ビデオカメラ装置を介して、机上の資料Ｘや新聞を拡大して撮像画像を見たり、本を読んだり、筆記したりなど低視力者向けの視覚補助機器として利用することができる。
【００３９】
拡大率を上げるには近づきそして焦点距離を長くすればよいが、撮影至近距離と呼ばれる最も近い距離を撮影できる距離がレンズにより決められている。これを超えて近距離の被写体を撮影するには、凸レンズであるクローズアップレンズ４３をビデオカメラ装置の撮影レンズの前に装着する必要がある。
【００４０】
接眼部３からディスプレイ（表示画面）を見る視軸Ｃ１の方向は、ビデオカメラ装置の撮影レンズと同じ方向（表示画面の中心光軸と撮影レンズの中心光軸とが一致）である。さらに、周知のごとく、マックスウェル視を利用した電子めがね装置１は、瞳孔とディスプレイ（表示画面）の光軸との位置合わせが数ｍｍ以内の狭い範囲が要求されるので、電子めがね装置１を長時間利用するためには、ユーザはできるだけ自然で楽な姿勢が取れるようにする必要がある。
【００４１】
机の上に置かれた手元の本や雑誌、新聞や資料などを見るには、ユーザは、上記自然で楽な姿勢をとる必要から、平面ミラー４４により光路を曲げて被写体を見る必要がある。このために、平面ミラー４４とクローズアップレンズ４３を一体化した拡大アダプター４をビデオカメラ装置の撮影レンズの前に装着することにより、手元に置かれた資料などを拡大率を上げて楽な姿勢で接眼部３からディスプレイ（表示画面）を見ることができる。このとき、その資料Ｘへの書き込みも可能である。
【００４２】
この拡大アダプター４を、ねじ４１ｂにより電子めがね本体２の筺体２１に取り付けたり取り外したりすることが可能であり、また、拡大アダプター４を蝶番４５により跳ね上げれば、スコープ型電子めがねとして、電子めがね本体２をスタンド５に取り付けたまま、または電子めがね本体２をスタンド５から取り外して手軽に、遠くの被写体もズームレンズの機能により大きく鮮明に見ることができる。
（実施形態２）
図３は、本発明の実施形態２に係る電子めがね装置の構成例を示す斜視図である。なお、図１の構成部材と同様の作用効果を奏する部材には同一の部材番号を付している。
【００４３】
図３において、本実施形態２の電子めがね装置１Ａは、画像入力装置としてのビデオカメラ装置が筺体２１の前方部内に収容され、マックスウェル視を用いた指向性の高い画像光が出射部（表示装置の表示画面；接眼レンズ）から出射可能とされて、筺体２１が略Ｌ字状（ピストル状）に折れ曲がって把持部２２を持つ電子めがね本体２と、画像光の出射部の周囲を覆って目の位置を固定可能とする接眼部３と、ビデオカメラ装置の前方に設けられ、筺体２１の前方部に着脱可能に設けられた拡大アダプター４Ａと、この電子めがね本体２の筺体２１の両側面を上部から保持するスタンド５Ａとを備えている。
【００４４】
拡大アダプター４Ａの上記実施形態１の拡大アダプター４と異なる点は、平面ミラー４４が、ベース板５１Ａ上に置かれた資料Ｘの面に対する垂線Ｃと鈍角に反射するように傾斜（斜め下方に傾斜）して配置されていることである。これによって、ユーザは、水平線に対して視軸（光軸）Ｃ１が下方に傾いて見やすいようになっている。また、拡大アダプター４Ａは、上記実施形態１の蝶番４５に代えて、カバー体４２Ａと枠体固定部４１との間に連結して設けられ、カバー体４２Ａを枠体固定部４１に対して上下方向に回動可能とする樹脂や皮部材などからなる連結部材４５Ａとしている。
【００４５】
スタンド５Ａは、ベース板５１Ａと、このベース板５１Ａ上の奥側の端縁中央部に立設されて手前側に略Ｌ字状に曲がった支柱棒５２Ａと、この支柱棒５２Ａに掛けられて、電子めがね本体２の筺体２１を両側から挟み込んで支持可能とする両側板５３Ａと、上面に資料Ｘを載置して縦横方向に電動または手動で移動を可能とするＸＹテーブル５４とを有している。
【００４６】
ＸＹテーブル５４が電動の場合には、図示しないスイッチを操作する度にＸ方向またはＹ方向に所定距離だけ間欠的に移動するようにしてもよい。
【００４７】
上記構成により、電子めがね本体２が下方に傾いて設置可能とされているので、資料Ｘを読んだりするのが容易になり、ユーザの姿勢もより自然な姿勢になって楽になる。しかも、電子めがね本体２から両側板５３Ａを取り外し、拡大アダプター４Ａを上に跳ね上げれば、把持部２２のあるピストル型電子めがねとなって、その把持部２２を片手で持って眼の瞳孔の範囲内にマックスウェル視の収束点を容易かつ安定的に合わせて遠くを見るのに扱いやすい。
（実施形態３）
図４は、本発明の実施形態３に係る電子めがね装置の構成例を示す斜視図である。なお、図１の構成部材と同様の作用効果を奏する部材には同一の部材番号を付している。
【００４８】
図４において、本実施形態３の電子めがね装置１Ｂは、画像入力装置としてのビデオカメラ装置が筺体２１Ｂの前方部上側内に収容され、マックスウェル視を用いた指向性の高い画像光が出射部（表示装置の表示画面；接眼レンズ）から出射可能とされて、コンパクトでビデオカメラ形状（厚手の直方体形状）の電子めがね本体２Ｂと、長方形状の画像光出射部の周囲を覆って目の位置を固定可能とするための接眼部３Ｂと、ビデオカメラ装置の前方上側に設けられ、筺体２１Ｂの前方部に、枠体固定部４１Ｂ（枠体、ねじおよび棒体）により着脱可能に設けられた拡大アダプター４Ｂと、この電子めがね本体２Ｂの筺体２１Ｂの底面側（狭面）を、雌ねじと雄ねじからなるねじ部（または凹部と凸部）で締結（または嵌合）して保持するスタンド５（ベース板５１と支柱棒５２）とを備えている。
【００４９】
電子めがね本体２Ｂは、スタンド５に着脱自在に取り付けられ、電子めがね本体２Ｂの筺体２１Ｂには、電子めがね本体２Ｂを手で持つための把持部として、直方体形状のビデオカメラ形状に構成されている。
【００５０】
また、この図４の縦型（縦スコープ型）の電子めがね装置の変形例として、図５に、横型（横スコープ型）の電子めがね装置１Ｃを示している。
【００５１】
この電子めがね装置１Ｃは、画像入力装置としてのビデオカメラ装置が筺体２１Ｂの前方部右側内（一方内または中央部内）に収容され、マックスウェル視を用いた指向性の高い画像光が出射部（表示装置の表示画面；接眼レンズ）から出射可能とされて、コンパクトでビデオカメラ形状（厚手の直方体形状）の電子めがね本体２Ｂと、長方形状の画像光出射部の周囲を覆って目の位置を固定可能とするための接眼部３Ｂと、ビデオカメラ装置の前方右側に設けられ、筺体２１Ｂの前方部右側に、枠体固定部４１Ｃ（枠体、ねじおよび棒体）により着脱可能に設けられた拡大アダプター４Ｃと、この電子めがね本体２Ｂの筺体２１Ｂの底面側（広面）を、雌ねじと雄ねじからなるねじ部（または凹部と凸部）で締結（または嵌合）して保持するスタンド５（ベース板５１と支柱棒５２）とを備えている。
【００５２】
以上の電子めがね装置１Ｂまたは１Ｃは、拡大アダプター４Ｂまたは４Ｃを跳ね上げ、れば、スタンド５を取り外せば、携帯自在なコンパクトなスコープ型）の電子めがねとなる。なお、この場合に、上記スタンド５に代えて、筺体２１Ｂを両側からピンにて上下方向に回動自在に固定するようにスタンド部材の支柱棒を構成すると共に、拡大アダプター４Ｂまたは４Ｃ内の図示しない平面ミラー４４も設置角度を変更自在に指示すれば、電子めがね本体２Ｂを見やすい角度に保持固定できる。
【００５３】
以上により、上記実施形態１〜３によれば、被写体光の光路を変えて被写体光の画像を拡大する平面ミラー４４およびクローズアップレンズ４３、これらの平面ミラー４４およびクローズアップレンズ４３を保持すると共に覆うカバー体４２（または４２Ａ）および、電子めがね本体２にカバー体４２（または４２Ａ）を固定可能とする枠体固定部４１（または４１Ｂ，４１Ｃ）を有する拡大アダプター４（または４Ａ、４Ｂ，４Ｃ）と、この拡大アダプター４（または４Ａ、４Ｂ，４Ｃ）からの被写体光を撮影可能とするビデオカメラ装置と、このビデオカメラ装置が内部に収容され、このビデオカメラ装置からの画像信号に基づいて被写体の画像が表示されて、マックスウェル視を用いた指向性の高い画像光が表示装置の表示画面から出射可能とされる電子めがね本体２（または２Ｂ）と、この電子めがね本体２（または２Ｂ）を支持して固定可能とするスタンド５（または５Ａ）とを備えている。これによって、例えば机の上の資料Ｘなどの被写体光の光路をユーザが見る視軸の方向に変えると共に被写体光の画像を拡大する拡大アダプター４（または４Ａ、４Ｂ，４Ｃ）が設けられ、この拡大アダプター４（または４Ａ、４Ｂ，４Ｃ）からの被写体光を撮影するビデオカメラ装置が収容された電子めがね本体２（または２Ｂ）がスタンド５（または５Ａ）によって支持されているので、読書や筆記用にある程度の拡大率を得、ユーザが楽にある程度の時間を使用することができる。
【００５４】
なお、上記実施形態１，２では、拡大アダプター４または４Ａ、４Ｂ，４Ｃは、ねじ４１ｂにより電子めがね本体２または２Ｂの筺体２１または２１Ｂに取り付けたり取り外したりすることが可能なように構成したが、これに限らず、ワンタッチ（ばね式など）で拡大アダプター４または４Ａ、４Ｂ，４Ｃをスタンド５，５Ａから取り外すことができるように構成することもできる。例えば、両側板５３Ａをばね性のある帯材で構成し、各帯材の下方端部を互いに内側に折り曲げて拡大アダプター４，４Ａを保持できるようにし、各帯材の付勢力に抗して各帯材を開けば簡単に、ワンタッチで拡大アダプター４，４Ａを両側板５３Ａから取り外すことができる。拡大アダプター４，４Ａを跳ね上げれば、スコープ型電子めがねの機能に戻り、遠くの被写体もズームレンズの機能により大きく鮮明に見ることができる。
【００５５】
なお、上記実施形態１〜３では、電子めがね本体２または２Ｂを片眼用として説明したが、これに限らず、左右の各部を連ねて構成すれば両眼用としても用いることもできる。例えば、本実施形態１〜３の電子めがね本体２または２Ｂを二つ連ねて設けて両眼用に構成することにより、健常者だけではなく低視力者であっても、左右の眼で別々に視差を持って画像を見て奥行きを感じる立体視（３Ｄ）映像にも適用できる。
【００５６】
さらに、上記実施形態１〜３では、特に説明しなかったが、表示装置の表示画面（ディスプレイ）を構成する光学系は当然のことながら、制御回路、電源（電池など）およびカメラ装置を一体化させてコンパクトにして片手にて操作できるようにしている。
【００５７】
また、ディスプレイとしてのみ使用できるように入出力インターフェイスとしてビデオインターフェイスを有していてもよい。このビデオインターフェイスとして、外部ビデオ入力信号を受ける入力端子を有していてもよい。さらに、ロービジョン用カメラとして映像記憶媒体としてのメモリなどに適用できる入出力インターフェイスとしての外部メモリインターフェイスを有していてもよい。これによって、メモリからの画像も表示画面に表示可能となり、また、撮影した画像もメモリに記憶可能となる。更にはＴＶ（テレビジョン）チューナを内蔵して直接ＴＶ画面を見ることも可能である。
【００５８】
さらに、上記実施形態１では、電子めがね本体２の把持部２２の端面にねじ穴を設け、支柱棒５２の先端部分にねじ山を設けて、支柱棒５２に電子めがね本体２を連結して固定する構成としたが、これに限らず、本体支持部材としての両側板により、支柱棒５２を両側から挟み込んで電子めがね本体２の筺体２１を支持することもできる。即ち、この支柱棒５２に取り付けられ、支柱棒５２を両側から挟み込んで電子めがね本体２の筺体２１を支持する本体支持部材としての両側板を有していてもよい。さらに、電子めがね本体２の筺体２１を、両側板に設けられたピン部材の回りに上下に回動自在に構成してもよく、この両側板に代えて、両側板の外周部を丸く構成して、手で握って持ちやすくした把持部を設けてもよい。
【００５９】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６０】
本発明は、文字や画像を見るときなどに用いる拡大アダプターおよび、これを用い、マックスウェル視により瞳孔を通して直に網膜に画像光を投影するための表示装置が搭載された電子めがね装置の分野において、電子めがねを手で支えることなく、ある程度の時間継続して、読書や筆記などを楽に行うことができる。また、手元の資料と遠距離位置にある資料とを大きな拡大率で、しかも簡単な操作で観察でき、低視力者向け映像信号による画像を見たり、手元と遠距離位置などの周囲の環境を容易に見渡すことができる電子めがね装置を得ることができる。
【図面の簡単な説明】
【００６１】
【図１】本発明の実施形態１に係る電子めがね装置の構成例を示す斜視図である。
【図２】（ａ）は図１の拡大アダプターを斜め上方から見た場合の斜視図、（ｂ）は図１の拡大アダプターを斜め下方から見た場合の斜視図である。
【図３】本発明の実施形態２に係る電子めがね装置の構成例を示す斜視図である。
【図４】本発明の実施形態３に係る電子めがね装置の構成例を示す斜視図である。
【図５】図４の電子めがね装置の変形例を示す斜視図である。
【符号の説明】
【００６２】
１，１Ａ，１Ｂ，１Ｃ  電子めがね装置
２，２Ｂ  電子めがね本体
２１，２１Ｂ  筺体
２２  把持部（グリップ部）
３，３Ｂ  接眼部
４，４Ａ，４Ｂ，４Ｃ  拡大アダプター
４１，４１Ｂ，４１Ｃ  枠体固定部
４１ａ  枠体
４１ｂ  ねじ
４１ｃ  棒体
４２，４２Ａ  カバー体
４３  クローズアップレンズ
４４  平面ミラー
４５  蝶番
４５Ａ  連結部材
５，５Ａ  スタンド
５１，５１Ａ  ベース板
５２，５２Ａ  支柱棒
５３Ａ  両側板
【図１】
2007156258.tif 000003
【図２】
2007156258.tif 000004
【図３】
2007156258.tif 000005
【図４】
2007156258.tif 000006
【図５】
2007156258.tif 000007